(57)【特許請求の範囲】
【請求項１】
装置内に挿入された大径ディスクの外周に基端部が押されて回動することにより先端部が横方向に移動するとともに、前記大径ディスクの最大寸法部分が通過した後に逆方向に回動するディスク検知レバーと、前記ディスク検知レバーの先端部に追随して横方向に移動するロックプレートと、常態において装置内に挿入された小径ディスクを再生位置に位置決めするために前記ロックプレートにより突出状態にロックされるとともに、前記ロックプレートの横方向への移動によりそのロックを解除されて前記挿入されてきた大径ディスクの外周により倒伏し、前記大径ディスクの最大寸法部分が通過したことによる前記ロックプレートの反対方向への移動によりその倒伏状態がロックされるロックピンと、前記大径ディスクを再生位置に位置決めする手段とを備え、
前記ロックピンが、円形の軸穴の一部に前記軸穴の直径よりも小さな幅寸法を有する切欠部を設けた一対のブラケットと、前記各ブラケットの軸穴に回転可能に嵌合する軸部をそれぞれ両側に有するとともに、前記各ブラケットの軸穴の前記切欠部の幅寸法よりも小さな幅寸法を有する矩形部を、一方の側では前記軸部の外側に設け、他方の側では前記軸部の内側に設けた回転部材とを有した回転部材支持装置を備えていることを特徴とするディスク再生装置。
【請求項２】
前記回転部材の一方の側の軸部の内側に前記軸部の直径よりも大きい直径の円形部を有し、前記回転部材の他方の側に設けた矩形部の長さ寸法が、前記ブラケットの軸穴の直径よりも大きいことを特徴とする請求項１記載のディスク再生装置。
【請求項３】
前記回転部材の前記円形部の回りに捩りコイルばねを挿入し、前記捩りコイルばねの一端部をブラケット側部材に係止させ、他端部を前記回転部材に設けた係止突部に係止させ、前記係止突部が前記ブラケット側部材に位置規制されることを特徴とする請求項１または２記載のディスク再生装置。
【請求項４】
前記各ブラケットが、板金をプレス加工により形成されていることを特徴とする請求項１から３のいずれかに記載のディスク再生装置。
【請求項５】
装置内に挿入された大径ディスクの外周に基端部が押されて回動することにより先端部が横方向に移動するとともに、前記大径ディスクの最大寸法部分が通過した後に逆方向に回動するディスク検知レバーと、前記ディスク検知レバーの先端部に追随して横方向に移動するロックプレートと、常態において装置内に挿入された小径ディスクを再生位置に位置決めするために前記ロックプレートにより突出状態にロックされるロックピンと、前記大径ディスクを再生位置に位置決めする手段とを備え、
前記ロックピンは、前記ロックプレートの横方向への移動によりそのロックを解除されて前記挿入されてきた大径ディスクの外周により倒伏し、前記大径ディスクの最大寸法部分が通過したことによる前記ロックプレートの反対方向への移動によりその倒伏状態がロックされることを特徴とするディスク再生装置。
【発明の詳細な説明】
【０００１】
【発明の属する技術分野】
本発明は、ディスク再生装置のディスク検出機構に用いられる回転部材支持装置とその取付方法に関する。
【０００２】
【従来の技術】
従来、この種のディスク再生装置は、大径の１２ｃｍディスクを中心に設計され、小径の８ｃｍディスクを使用する場合は、専用のアダプタに８ｃｍディスクをセットし、そのアダプタを装置内に挿入して再生を行っていた。このようなアダプタを使用する方法は、アダプタを保管する必要があり、アダプタがなくては８ｃｍディスクを再生できないばかりか、アダプタに８ｃｍディスクを装着するのに手間がかかるという問題があった。
【０００３】
そこで、上記問題を解決するために、小径ディスクのためのアダプタを必要とすることなく、大径と小径のディスクの両方を再生可能なディスク再生装置が提案されており、このディスク再生装置は、アッパシャーシとロアシャーシとサスペンションシャーシとからなるシャーシ機構と、ディスクを装置内の挿入／排出位置と再生位置の間で搬送するディスク搬送機構と、挿入されたディスクが大径ディスクの場合は、挿入された小径ディスクを位置決めするためのロックピンのロックを解除して大径ディスクの外周によってロックピンを倒伏させるロック手段を有するディスク検出機構と、このディスク検出機構に連動してサスペンションシャーシのロアシャーシに対するロックまたはロック解除を行うサスペンションロック機構と、上記サスペンションシャーシに設けられて、再生位置に搬送されたディスクをターンテーブル上にクランプするディスククランプ機構およびクランプされたデイスクを再生するディスク再生機構とを備えたものである。この構成により、大径ディスクでも小径ディスクでも、単に装置内にディスクを挿入するだけで再生が可能になる。
【０００４】
【発明が解決しようとする課題】
しかしながら、上記ディスク再生装置においても、低コスト化の努力が常に要求されているので、本発明は、その要求に答えるべく、上記ディスク再生装置のディスク検出機構におけるロックピンなどの回転部材支持構造の簡略化および低コスト化を目的とするものである。
【０００５】
【課題を解決するための手段】
上記目的を達成するために、本発明のディスク再生装置は、装置内に挿入された大径ディスクの外周に基端部が押されて回動することにより先端部が横方向に移動するとともに、前記大径ディスクの最大寸法部分が通過した後に逆方向に回動するディスク検知レバーと、前記ディスク検知レバーの先端部に追随して横方向に移動するロックプレートと、常態において装置内に挿入された小径ディスクを再生位置に位置決めするために前記ロックプレートにより突出状態にロックされるとともに、前記ロックプレートの横方向への移動によりそのロックを解除されて前記挿入されてきた大径ディスクの外周により倒伏し、前記大径ディスクの最大寸法部分が通過したことによる前記ロックプレートの反対方向への移動によりその倒伏状態がロックされるロックピンと、前記大径ディスクを再生位置に位置決めする手段とを備え、前記ロックピンが、円形の軸穴の一部に前記軸穴の直径よりも小さな幅寸法を有する切欠部を設けた一対のブラケットと、前記各ブラケットの軸穴に回転可能に嵌合する軸部をそれぞれ両側に有するとともに、前記各ブラケットの軸穴の前記切欠部の幅寸法よりも小さな幅寸法を有する矩形部を、一方の側では前記軸部の外側に設け、他方の側では前記軸部の内側に設けた回転部材とを備えたものであり、これにより、ブラケットと回転部材の２部品で回転部材支持装置を構成することができ、ロックピン支持構造を簡略化することができ、ロックピンの取り付けが容易に行えるので、構造の簡略化および低コスト化を実現することができる。
【０００６】
また、本発明のディスク再生装置は、前記回転部材の一方の側の軸部の内側に前記軸部の直径よりも大きい直径の円形部を有し、前記回転部材の他方の側に設けた矩形部の長さ寸法が、前記ブラケットの軸穴の直径よりも大きいことを特徴とするものであり、これにより、回転部材をブラケットの軸穴に嵌合させた状態では、前記円形部と前記矩形部とにより軸方向のがた付きを防止することができる。
【０００７】
また、本発明のディスク再生装置は、前記回転部材の前記円形部の回りに捩りコイルばねを挿入し、前記捩りコイルばねの一端部をブラケット側部材に係止させ、他端部を前記回転部材に設けた係止突部に係止させ、前記係止突部が前記ブラケット側部材に位置規制されることを特徴とするものであり、これにより、回転部材を常態において回動付勢しながら位置決めすることができる。
【０００８】
また、本発明のディスク再生装置は、前記各ブラケットが、板金をプレス加工により形成されていることを特徴とするものであり、これにより、ブラケットの加工が容易であるとともに、軸穴の板金からの高さやブラケット間の幅を任意に設定することができる。
【００１０】
また、本発明は、装置内に挿入された大径ディスクの外周に基端部が押されて回動することにより先端部が横方向に移動するとともに、前記大径ディスクの最大寸法部分が通過した後に逆方向に回動するディスク検知レバーと、前記ディスク検知レバーの先端部に追随して横方向に移動するロックプレートと、常態において装置内に挿入された小径ディスクを再生位置に位置決めするために前記ロックプレートにより突出状態にロックされるロックピンと、前記大径ディスクを再生位置に位置決めする手段とを備え、前記ロックピンは、前記ロックプレートの横方向への移動によりそのロックを解除されて前記挿入されてきた大径ディスクの外周により倒伏し、前記大径ディスクの最大寸法部分が通過したことによる前記ロックプレートの反対方向への移動によりその倒伏状態がロックされることを特徴とするものであり、これにより、ロックピン支持構造を簡略化することができ、ディスク再生装置の低コスト化を実現することができる。
【００１１】
【発明の実施の形態】
以下、本発明の実施の形態について図面を参照して説明する。図１および図２は、１２ｃｍの大径ディスクおよび８ｃｍの小径ディスクの両方を再生可能なディスク再生装置におけるディスク検出機構２１を示している。ディスク検出機構２１は、装置内に挿入された大径ディスクＤ１の外周に基端部２２ａが押されて軸２７を中心に回動することにより先端部２２ｂが横方向に移動するとともに、大径ディスクＤ１の最大寸法部分が通過した後に逆方向に回動するディスク検知レバー２２と、ディスク検知レバー２２の先端部２２ｂに追随して横方向に移動するロックプレート２３と、常態において装置内に挿入された小径ディスクＤ２を再生位置に位置決めするためのロックピン２４と、ロックプレート２３の横方向の移動に追随して横方向に移動するとともに、軸２８を中心に回動するアジャストプレート２５と、アジャストプレート２５の軸２８を中心に回動可能に設けられて、アジャストプレート２５の横外側方向Ｂへの移動によりロックを解除されて、大径ディスクＤ１または小径ディスクＤ２の外周に押されて回動するシフトアーム２６とを備えている。
【００１２】
ディスク検知レバー２２の先端部にはピン２２ｂが上に向けて植設され、このピン２２ｂが、ロックプレート２３の先端部に形成された長穴２３ｂに係合している。ロックプレート２３は、クランプアーム４２の上面に形成された折り曲げ片４２ａに挟まれて横方向に摺動可能に設けられ、引張コイルばね２３ａにより、横外側方向Ｂに向けて押圧付勢されている。ロックピン２４は、軸２４ａによりクランプアーム４２のブラケット４２ｅに回動可能に取り付けられ、かつ捩りコイルばね２４ｂにより軸２４ａの回りに反時計方向に回動付勢されて、ストッパ部２４ｄが下方に向くように位置規制されている。ロックピン２４は、常態において、ロックピン２４のロック片２４ｃがロックプレート２３に形成された突片２３ｃに係止されることにより、時計回り方向の回動をロックされている。アジャストプレート２５は、クランプアーム４２の上面に軸２８を中心に回動可能に設けられ、引張コイルばね２５ａにより時計回り方向に回動付勢されているが、その先端部２５ｃがラック板３３の左端部に当たることにより位置決めされている。シフトアーム２６は、クランプアーム４２の下面に軸２８を中心に回動可能に設けられ、引張コイルばね２６ａにより反時計回り方向に回動付勢されている。軸２８は、シフトアーム２６の後端部に上に向けて植設され、クランプアーム４２の丸穴を通され、アジャストプレート２５の長穴２５ｄを遊動可能に通された後、先端部を加締められる。従って、アジャストプレート２５は、長穴２５ｄの分だけ移動可能である。また、シフトアーム２６は、その中間部にガイドピン２６ｂが上に向けて植設され、ガイドピン２６ｂは、クランプアーム４２のガイド穴４２ｂを通され、アジャストプレート２５のガイド穴２５ｅに係合している。ガイド穴２５ｅは、その両端部に内側に入り込んだ鉤状の係止部２５ｆおよび２５ｇを備えている。シフトアーム２６の先端部には作動ピン２６ｃが下に向けて植設されている。さらに、クランプアーム４２の奥側には、大径ディスクＤ１を再生位置に位置決めするための位置決め突起４２ｄ（２ヶ所）が形成されている。
【００１３】
図３は上記ロックピン２４の支持構造を示している。ロックピン２４は、軸２４ａによりクランプアーム４２のブラケット４２ｅに回動可能に取り付けられ、かつ捩りコイルばね２４ｂにより、軸２４ａを中心に反時計方向に回動付勢されている。捩りコイルばね２４ｂは、一端部をロックピン２４に形成した係止突部２４ｅに係止し、他端部をクランプアーム４３に係止されて、係止突部２４ｅがクランプアーム４２のＰ点に係止されることにより、反時計回り方向の回転を規制され、ストッパ部２４ｄが真下に向くように位置規制されている。ブラケット４２ｅは、クランプアーム４２を板金でプレス成形する際に一体に形成される。ロックピン２４は、常態において、ストッパ部２４ｄとは直角なロック片２４ｃが、上記したロックプレート２３に形成された突片２３ｃに係止されることにより、時計回り方向の回転をロックされている。
【００１４】
図４は上記のロックピン２４の支持構造を裏面から示した図である。クランプアーム４２に設けられた一対のブラケット４２ｅは、円形の軸穴４２ｆの一部に軸穴４２ｆの直径よりも小さな幅寸法を有する切欠部４２ｇを有する。ロックピン２４は、各ブラケット４２ｅの軸穴４２ｆに回転可能に嵌合する軸２４ａと、一方の軸２４ａの外側に設けられた矩形部２４ｆと、他方の軸２４ａの内側に設けられた矩形部２４ｇと、一方の矩形部２４ｆと軸２４ａとの間に設けられて、軸２４ａの直径よりも大きな円形部２４ｈとを有する。この円形部２４ｈに捩りコイルばね２４ｂが挿入される。矩形部２４ｆ、２４ｇはストッパ部２４ｄと同じ向きであり、その幅寸法は、各ブラケット４２ｅの軸穴４２ｆの切欠部４２ｇの幅寸法よりも小さい。また、矩形部２４ｆの長さ寸法は、軸２４ａの直径と同じであるが、矩形部２４ｇの長さ寸法は、ストッパ部２４ｄの方向は軸２４ａの直径と同じであるが、反対側は図に示すように軸２４ａの直径よりも長い。
【００１５】
ロックピン２４のブラケット４２ｅへの取り付けは次のようにして行われる。まず、ロックピン２４の円形部２４ｈに捩りコイルばね２４ｂを挿入し▲１▼、ロックピン２４の矩形部２４ｆ、２４ｇをブラケット４２ｅの軸穴４２ｆの切欠部４２ｇと平行になるように斜めにして、ブラケット４２ｅの軸穴４２ｆの切欠部４２ｇに挿入し▲２▼、次いでその状態からロックピン２４を矢印Ｃ方向に移動させる。これにより、ロックピン２４の両側の軸２４ａが、それぞれブラケット４２ｅの軸穴４２ｆに回転可能に嵌合する▲３▼。そして捩りコイル２４ｂの一端部をロックピン２４の係止突部２４ｅに係止させ、他端部をクランプアーム４２に係止させることにより、ロックピン２４が、その係止突部２４ｅがクランプアーム４３のＰ点に当たるまで反時計回り方向に回転して、表面側から見た図である図３の状態になる。この状態では、ロックピン２４の円形部２４ｈの端面と矩形部２４ｇの端面が、それぞれブラケット４２ｅの内側面に位置規制されるので、ロックピン２４の軸方向のがた付きを防止することができる。
【００１６】
次に、図１および図２を参照して、上記したディスク検出機構２１の動作について説明する。まず直径１２ｃｍの大径ディスクを挿入する場合について説明する。常態において、ディスク検出機構２１のロックプレート２３は、引張コイルばね２３ａに引っ張られてその位置を保持しており、ロックプレート２３の突片２３ｃがロックピン２４のロック片２４ｃを上から押えているので、ロックピン２４のストッパ部２４ｄは、クランプアーム４２の下方に突出している。また、アジャストプレート２５は、その後端部２５ｃがサスペンションロック機構のラック板３３（規定位置にて停止）に押されて、その位置が保持されている。この状態で、装置内に１２ｃｍの大径ディスクＤ１を挿入すると、その挿入を検知したフォトディテクタからの信号によりフィードモータが回転し、フィードローラが大径ディスクＤ１を装置内部へ向けて搬送する。大径ディスクＤ１が搬送されると、ディスク検知レバー２２は、その基端部のピン２２ａが大径ディスクＤ１の外周に押されて、軸２７を中心に時計回り方向に回動し、その先端部のピン２２ｂに係合する長穴２３ｂを通じてロックプレート２３が横内側方向Ａに移動する。
【００１７】
これにより、ロックプレート２３の突片２３ｃがロックピン２４から離れるので、ロックピン２４は、軸２４ａの回りに回動可能になる。そこで、大径ディスクＤ１の外周が下方に突出するストッパ部２４ｄを捩りばね２４ｂに抗して押すと、ロックピン２４は回動して倒伏するので、大径ディスクＤ１はロックピン２４を越えてさらに装置の奥側に搬送される。また、ロックプレート２３が横内側方向Ａに向けて移動し、その右端部がアジャストプレート２５を同方向に押すので、アジャストプレート２５の長穴２５ｄが軸２８を案内として移動するとともに、アジャストプレート２５のガイド穴２５ｅの係止部２５ｆに収まっていたシフトアーム２６のガイドピン２６ｂが係止部２５ｆから離れる。これにより、シフトアーム２６は、軸２８を中心にガイド穴２５ｅに沿って回動可能になる。
【００１８】
そして、大径ディスクＤ１の最大寸法部分がディスク検知レバー２２の基端部のピン２２ａを越えると、ロックプレート２３が引張コイルばね２３ａにより横外側方向Ｂに向けて引っ張られるので、ディスク検知レバー２２が反時計回り方向に回動するとともに、ロックプレート２３が横外側方向Ｂに向けて移動する。これにより、ロックプレート２３の突片２３ｃが倒伏したロックピン２４のロック片２４ｃを上から押え、ロックピン２４は、大径ディスクＤ１から離れた倒伏状態でロックされる。また、シフトレバー２６の先端ピン２６ｃが大径ディスクＤ１の外周に押されるので、さらに時計回り方向にアジャストプレート２５と共に回動するとともに、大径ディスクＤ１の外周が、クランプアーム４２の後端に設けられた位置決め突起４２ｄに当たって位置決めされる。この状態では、大径ディスクＤ１の中心はディスククランプの中心よりもオフセット分だけ奥側に位置しており、また、アジャストプレート２５は、ロックプレート２３が横外側方向Ｂに移動したことにより少し戻るので、シフトレバー２６は、そのガイドピン２６ｂが、アジャストプレート２５のガイド穴２５ｅの奥側の係止部２５ｇに係止され、引張コイルばね２６ａによりその状態が保持される。
【００１９】
アジャストプレート２５が軸２８を中心に時計回り方向に回動し、その後端部２５ｃがサスペンションロック機構のラック板３３を前方に押し出すと、ラック板３３のラックが、ロアシャーシに回転可能に設けられてフィードモータにより回転駆動されているピニオンに噛み合い、ラック板３３は、ピニオンにより前方に少し移動した位置でサスペンションロック板にロックされる。これにより、サスペンションロック板がピニオンにより前方の所定位置まで搬送され、サスペンションロック板のＹ字形のロック溝とサスペンションシャーシのＹ字形のロック溝との係合が外れて、サスペンションシャーシがダンパにより浮遊状態に支持されるとともに、サスペンションロック板の先端部によってフィード板が時計回り方向に回動して、フィードローラが大径ディスクＤ１から離れ、その状態がロックされる。また、サスペンションロック板のガイドピンが、クランプアームの右側板に形成されたガイド片から外れるので、クランプアーム４２は、軸を中心に下方に回動し、そのディスククランプ４４が大径ディスクＤ１を押し付けるので、大径ディスクＤ１は、その中心穴がターンテーブルの中心軸に位置決めされながら保持される。これにより、大径ディスクＤ１の中心は、ターンテーブルの中心と一致し、大径ディスクＤ１の奥側の外周縁は、位置決め突起４２ｄおよびシフトアーム２６の先端ピン２６ｃからオフセット相当分だけ離れる。この状態は、アジャストプレート２６の引張コイルばね２６ａによって保持される。また、この状態を検知したセンサからの信号により、ターンテーブルがスピンドルモータにより回転駆動されるとともに、光ピックアップが作動して、大径ディスクＤ１に記録された信号を読み取って再生が行われる。
【００２０】
大径ディスクＤ１の再生が終了して、イジェクトボタンが押されると、フィードモータが逆回転するので、ピニオンにより、ラック板３３およびサスペンションロック板が奥側へ移動することにより、フィード板のロックが外れて、ばねにより元の位置に復帰するので、フィードローラが大径ディスクＤ１に接触して大径ディスクＤ１を装置手前側に排出し、以後、上記したのと逆の動作が行われ、大径ディスクＤ１が挿入／排出位置まで戻される。
【００２１】
次に、８ｃｍの小径ディスクＤ２を装置内に挿入した場合の動作について説明する。常態において、ロックプレート２３は、引張コイルばね２３ａに引っ張られてその位置を保持しており、ロックプレート２３の突片２３ｃがロックピン２４のロック片２４ｃを上から押えているので、ロックピン２４のストッパ部２４ｄは、クランプアーム４２の下方に突出している。また、アジャストプレート２５は、その後端部２５ｃがラック板３３に押されて、その先端部２５ｂがロックプレート２３に当たっているので、その位置が保持されている。この状態で、装置内に小径ディスクＤ２を挿入すると、その挿入を検知したフォトディテクタからの信号によりフィードモータが回転し、フィードローラが小径ディスクＤ２を装置内部へ向けて搬送する。
【００２２】
小径ディスクＤ２が装置内に搬送されると、まず小径ディスクＤ２の外周がシフトアーム２６の先端ピン２６ｃを押すので、シフトアーム２６が軸２８を中心にして時計回り方向に回動する。シフトアーム２６のガイドピン２６ｂは、アジャストプレート２５のガイド穴２５ｅの係止部２５ｆに収まっているので、シフトアーム２６の回動によってアジャストプレート２５も一緒に回動する。この回動は、小径ディスクＤ２の外周がロックピン２４のストッパ部２４ｄに当たることにより停止し、小径ディスクＤ２が位置決めされる。この状態では、小径ディスクＤ２の中心はディスククランプ４４の中心よりもオフセット分だけ奥側に位置している。この状態で、アジャストプレート２５の後端部２５ｃがラック板３３を前方へ少し押し出すので、ラック板３３のラックが回転しているピニオンに噛み合い、上記したと同様にして、ラック板３３はサスペンションロック板に結合されて前方へ進み、サスペンションシャーシとロアシャーシとの結合が外れ、クランプアーム４２が降りてきて、ディスククランプ４４が小径ディスクＤ２をターンテーブルに保持する。この状態では、小径ディスクＤ２の奥側の外周縁は、ロックピン２４およびシフトアーム２６の先端ピン２６ｃからオフセット相当分だけ離れており、センサからの信号によりターンテーブルが回転して、光ピックアップが小径ディスクＤ２の信号を読み取り、再生が行われる。
【００２３】
小径ディスクＤ２の再生が終了して、イジェクトボタンが押されると、フィードモータが逆回転するので、ピニオンにより、ラック板３３およびサスペンションロック板が奥側へ移動することにより、フィード板のロックが外れて、ばねにより元の位置に復帰するので、フィードローラが小径ディスクＤ２に接触して小径ディスクＤ２を装置手前側に排出し、以後、上記したのと逆の動作が行われ、小径ディスクＤ２が挿入／排出位置まで戻される。
【００２４】
このように、本実施の形態によれば、装置内に挿入された大径ディスクＤ１の外周に基端部が押されて回動することにより先端部が横方向に移動するとともに、大径ディスクＤ１の最大寸法部分が通過した後に逆方向に回動するディスク検知レバー２２と、ディスク検知レバー２２の先端部に追随して横方向に移動するロックプレート２３と、常態において装置内に挿入された小径ディスクＤ２を再生位置に位置決めするためにロックプレート２３により突出状態にロックされるとともに、ロックプレート２３の横方向への移動によりそのロックを解除されて挿入されてきた大径ディスクＤ１の外周により倒伏し、大径ディスクＤ１の最大寸法部分が通過したことによるロックプレート２３の反対方向への移動によりその倒伏状態がロックされるロックピン２４と、大径ディスクＤ１を再生位置に位置決めする突起４２ｄとを備え、ロックピン２４が、クランプアーム４２に板金により一体形成された一対のブラケット４２ｅの軸穴４２ｆに回転可能に嵌合する軸２４ａと、一方の軸２４ａの外側に設けられた矩形部２４ｆと、他方の軸２４ａの内側に設けられた矩形部２４ｇと、一方の矩形部２４ｆと軸２４ａとの間に設けられて、軸２４ａの直径よりも大きな円形部２４ｈとを有し、矩形部２４ｆ、２４ｇをブラケット４２ｅの軸穴４２ｆの切欠部４２ｇから挿入して一方の側に移動させることにより、両側の軸２４ａをブラケット４２ｅの各軸穴４２ｆに回転可能に嵌合させるようにしたので、ロックピン支持構造を簡略化できるとともに、ロックピンの取り付けが容易に行えるので、ディスク再生装置の低コスト化を実現することができる。また、ブラケット４２ｅは、ロックピン２４を挿入する前に板金をプレス加工により形成するため、軸穴の板金からの高さやブラケット間の幅の精度を高く加工することができる。
【００２５】
以上説明したように、本発明は、円形の軸穴の一部に前記軸穴の直径よりも小さな幅寸法を有する切欠部を設けた一対のブラケットと、各ブラケットの軸穴に回転可能に嵌合する軸部をそれぞれ両側に有するとともに、各ブラケットの軸穴の切欠部の幅寸法よりも小さな幅寸法を有する矩形部を、一方の側では軸部の外側に設け、他方の側では軸部の内側に設けた回転部材とを備えたものであり、これにより、ブラケットと回転部材の２部品で回転部材支持装置を構成することができるので、構造の簡略化および低コスト化を実現することができる。したがって、この構造をディスク再生装置のロックピン支持構造に利用することにより、ディスク再生装置の構造の簡略化および低コスト化を実現することができる。
【図面の簡単な説明】
【図１】（ａ）本発明の実施の形態における回転部材支持装置を備えたディスク再生装置の概略平面図
（ｂ）本発明の実施の形態における回転部材支持装置を備えたディスク再生装置の概略正面図
【図２】本発明の実施の形態におけるディスク再生装置のディスク検出機構の概略平面図
【図３】本発明の実施の形態のディスク検出機構におけるロックピン支持構造の上から見た組立斜視図
【図４】本発明の実施の形態のディスク検出機構におけるロックピン支持構造の下から見た分解斜視図
【符号の説明】
２４  ロックピン（回転部材）
２４ａ  軸
２４ｂ  捩りコイルばね
２４ｃ  ロック片
２４ｄ  ストッパ部
２４ｅ  係止突部
２４ｆ、２４ｇ  矩形部
２４ｈ  円形部
４２ｅ  ブラケット
４２ｆ  軸穴
４２ｇ  切欠部
【図１】
0004141657.tif 000002
【図２】
0004141657.tif 000003
【図３】
0004141657.tif 000004
【図４】
0004141657.tif 000005